(57)【要約】【課題】洗浄性能を向上させることができるドラム洗濯機を提供する。【解決手段】内部に水を溜める外槽３と、外槽３内に回転自在に支持される断面凹状のドラム４と、外槽３内の水を汲み上げてドラム４に通じる循環流路３１，３２に供給する循環ポンプ４０と、を備え、循環流路３１，３２に供給された水を吐出する吐出部は、ドラム４の開口部４ｂ側と底面部４ｄ側とに設けられている。ドラム４の底面部４ｄにはメッシュ部４ｍが設けられている。循環ポンプ４０は、循環流路３１，３２を通じて、開口部４ｂ側の吐出部および底面部４ｄ側の吐出部に同時にまたは個別に水を供給する。【選択図】図４
2019150399.tif 000002
【特許請求の範囲】
【請求項１】
内部に水を溜める外槽と、
前記外槽内に回転自在に支持される断面凹状のドラムと、
前記外槽内の水を汲み上げて前記ドラム内に通じる循環流路に供給する循環ポンプと、を備え、
前記循環流路に供給された水を吐出する吐出部は、前記ドラムの開口部側と底面部側とに設けられていることを特徴とするドラム洗濯機。
【請求項２】
前記ドラムの前記底面部に設けられ、前記吐出部から吐出される水を前記ドラム内に通すためのメッシュ部を備えることを特徴とする請求項１のドラム洗濯機。
【請求項３】
前記循環ポンプは、前記循環流路を通じて、開口部側の前記吐出部および底面部側の前記吐出部に同時に水を供給することを特徴する請求項１に記載のドラム洗濯機。
【請求項４】
前記循環ポンプは、前記循環流路を通じて、開口部側の前記吐出部および底面部側の前記吐出部に個別に水を供給することを特徴する請求項１に記載のドラム洗濯機。
【請求項５】
前記底面部側に設けられた前記吐出部は、前記ドラムの上下方向に延在する縦長形状とされていることを特徴とする請求項１に記載のドラム洗濯機。
【請求項６】
前記底面部側に設けられた前記吐出部は、複数備わることを特徴とする請求項１に記載のドラム洗濯機。
【請求項７】
前記底面部側に設けられた前記吐出部は、前記ドラム内に溜まる水の水位よりも上側に配置されていることを特徴とする請求項１に記載のドラム洗濯機。
【請求項８】
開口部側の前記吐出部から水を吐出する開口部側散水運転モードと、底面部側の前記吐出部から水を吐出する底面部側散水運転モードと、開口部側の前記吐出部および底面部側の前記吐出部の両方から水を吐出する両側散水運転モードとの３つの運転モードを備えていることを特徴とする請求項１に記載のドラム洗濯機。
【発明の詳細な説明】
【技術分野】
【０００１】
本発明は、ドラム洗濯機に関する。
【背景技術】
【０００２】
ドラム洗濯機は、略水平もしくは前方を上に向けて傾斜させたドラム内に衣類を投入して、洗い工程、すすぎ工程、脱水工程を行うものである。洗い工程、すすぎ工程ではドラムを低速で回転させ、ドラム内の下部に溜まった衣類を持ち上げて、ドラム内の上部から落下させるタンブリング動作を行う。このタンブリング動作により、衣類に機械的な力を与えて洗浄およびすすぎを行っている。脱水工程時にはドラムを高速で回転させ、回転による遠心力で衣類から水分を衣類の外に押し出す遠心脱水を行う。
【０００３】
また、洗い工程では、洗濯槽（外槽）内の洗濯水をポンプで汲み上げて衣類にかけ、洗剤が溶けた洗濯水を衣類に浸透させることが行われている。このように、ドラム洗濯機は、縦型洗濯機と比較して少ない水でも洗浄性能を確保して、節水することができるようになっている。
【０００４】
ところで、洗濯時に多量の衣類を洗濯すると、衣類同士の空間が狭くなるためドラム内における衣類の移動が抑制される。これにより、洗濯液が接触する部分と接触しない部分とで洗濯液の衣類に対する浸透具合が不均一となり、衣類の汚れ落ちに差が生じ易くなる。このように、洗濯液の接触の有無は、洗浄不足や洗いムラの原因となっている。
【０００５】
従来、洗濯液の浸透具合の均一化を図るものとして、特許文献１に開示された技術が知られている。特許文献１では、ドラムの前側および後側から布団に水を当てる技術が開示されている。この技術は、ドラムを回転させたときの圧力で洗濯水を取り込み、これをドラム内に散水するものである。
【先行技術文献】
【特許文献】
【０００６】
【特許文献１】特開２００２−２２４４８７号公報
【発明の概要】
【発明が解決しようとする課題】
【０００７】
しかしながら、特許文献１において、ドラム内に散水する洗濯水を勢いをもった水流にするためには、布団がドラムの内周面に張り付くような高回転速度でドラムを回転させる必要がある。このため、洗い工程等において、ドラム内の上部から落下させるタンブリング動作を行うことができず、機械的な力を与えて洗浄およびすすぎを行うことができない。
【０００８】
本発明は、前記した従来の課題を解決するものであり、洗浄性能を向上させることができるドラム洗濯機を提供することを目的とする。
【課題を解決するための手段】
【０００９】
本発明は、内部に水を溜める外槽と、前記外槽内に回転自在に支持される断面凹状のドラムと、前記外槽内の水を汲み上げて前記ドラム内に通じる循環流路に供給する循環ポンプと、を備え、前記循環流路に供給された水を吐出する吐出部は、前記ドラムの開口部側と底面部側とに設けられていることを特徴とする。
【発明の効果】
【００１０】
本発明によれば、洗浄性能を向上させることができるドラム洗濯機を提供できる。
【図面の簡単な説明】
【００１１】
【図１】本実施形態のドラム洗濯機を示す外観斜視図である。
【図２】図１のドラム洗濯機の筐体の内部の概略構造を示す斜視図である。
【図３】同じく外槽の概略構造を示す斜視図である。
【図４】循環流路および外槽の底面部側の吐出部を示す斜視図である。
【図５】（ａ）は外槽カバーの後面図、（ｂ）は循環流路を露出させた外槽カバーの後面図である。
【図６】ドラムおよび底面部側の吐出部を示す一部断面側面図である。
【図７】ドラムを示す正面図である。
【図８】循環ポンプの一形態を示す説明図であり、（ａ）は回転速度が低い場合の模式説明図、（ｂ）は回転速度が高い場合の模式説明図である。
【図９】（ａ）は循環ポンプの一形態を示す説明図、（ｂ）は羽を正回転させた場合の模式説明図、（ｃ）は羽を逆回転させた場合の模式説明図である。
【図１０】ドラム洗濯機の制御ブロック図である。
【図１１】洗濯運転の運転工程を説明する工程図である。
【図１２】洗浄試験時の汚染布投入エリアを示す図であり、（ａ）ドラムの正面から見た汚染布投入エリアを示す説明図、（ｂ）はドラム前後方向における汚染布投入エリアを示す説明図である。
【図１３】洗浄率の平均を示す表である。
【図１４】ドラム前後方向の洗浄率の変化を示すグラフである。
【図１５】シャワーの散布エリアを示す図であり、（ａ）はドラムの開口部側の吐出部からシャワーを散布した場合の散布エリアを示す模式図であり、（ｂ）はドラムの開口部側および底面部側の両方の吐出部からシャワーを散布した場合の散布エリアを示す模式図である。
【発明を実施するための形態】
【００１２】
以下、本発明を実施するための形態（以下「実施形態」という）について、適宜図面を参照して詳細に説明する。なお、以下の説明において、前後上下左右の方向は図１に示す前後上下左右の方向を基準とする。
【００１３】
図１に示すように、ドラム洗濯機１は、ドラム式の洗濯乾燥機である。ドラム洗濯機１の内部には、図２に示すように、内部に水を溜める外槽３と、この外槽３内に回転自在に支持されるドラムとしての回転ドラム（内槽）４と、外槽３および回転ドラム４を収容する筐体１０（図１参照）と、を備えて構成されている。
【００１４】
筐体１０は、外郭を構成するものであり、板金（金属、カラー鋼板）をプレス加工等によって、正面に配置される前面パネル（前板）１１と、左右の側面に配置される側面パネル（側板）１４と、を有している。また、筐体１０は、板金をプレス加工等によって、上面視において略コ字状に形成されて背面に配置される背面パネル（背板）１９と、外槽３の底側に配置されるベース１７と、外槽３の上方に配置される上面パネル（上板、トップパネル）１８と、を有している。筐体１０は、ベース１７を含めて箱形状を呈している。
【００１５】
前面パネル１１は、正面上部に配置される前面上パネル１２と、正面下部に配置される前面下パネル１３と、を有している。なお、前面パネル１１は、１枚のパネルで構成してもよい。
【００１６】
前面上パネル１２には、ヒンジを介してドア６が取り付けられている。前面下パネル１３には、図示しない糸くずフィルタのフィルタ部材を出し入れするための蓋１３ｄが取り付けられている。
側面パネル１４は、板金をプレス加工等によって形成されたものであり、前面パネル１１と同じ高さに形成されている。背面パネル１９は、板金をプレス加工等によって形成されたものである。
【００１７】
ベース１７は、例えば合成樹脂製であり、図２に示すように、内側に格子状のリブが形成されて補強が施されている。また、ベース１７には、側面パネル１４の下端がネジなどで固定されている。
【００１８】
上面パネル１８は、例えば合成樹脂を成形することで形成され、平面視において略矩形状に形成されている。また、上面パネル１８は、１枚の板状に構成され、前面パネル１１と側面パネル１４と背面パネル１９とが連結されて構成された上面開口を塞ぐように構成されている。
【００１９】
また、上面パネル１８には、前後方向の手前左側に洗剤投入部２０、手前右側に操作パネル２２が取り付けられている。
なお、合成樹脂としては、高強度および耐摩耗性に優れた樹脂、具体的にはＰＯＭ（ポリオキシメチレン樹脂）を選択することができる。
【００２０】
また、上面パネル１８には、給水ユニット（不図示、給水関連部品が備わる）や乾燥フィルタ３７などが取り付けられる。図示しない給水ユニットは、給水管（不図示）、給水ホース接続口１８ｆ（図１参照）および風呂水ホース接続口１８ｇ（図１参照）に接続される洗剤給水電磁弁、風呂水を吸い上げるポンプなどである。
【００２１】
外槽３は、図２、図３に示すように、合成樹脂で円筒状に形成されたものであり、回転ドラム４を同軸上に内包している。外槽３は、前面側が開口し、後面側となる底面の外側中央には、図示しないドラムモータが取り付けられている。ドラムモータの回転軸は、外槽３を貫通し、回転ドラム４と結合している。また、外槽３は、有底円筒状の外槽本体３ａと、この外槽本体３ａの前面開口に取り付けられる外槽カバー３ｂと、によって構成されている。
【００２２】
また、外槽３（外槽カバー３ｂ）の開口部３ｓには、ゴム製のベローズ（不図示）が取り付けられ、ドア６（図１参照）を閉じることで外槽３を水封するようになっている。外槽カバー３ｂの内側には、回転ドラム４の開口部側の散水口を構成する前側吐出部３１ａ（図５（ａ）参照）が設けられている。
【００２３】
さらに、外槽本体３ａの底面部３ｄの後面には、回転ドラム４の底面部４ｄ（図７参照）側の散水口を構成する後側吐出部３２ａが設けられている。後側吐出部３２ａは、図６に示すように、回転ドラム４の中心軸Ｏ１（外槽３の中心軸）と重なる位置に配置されており、前側吐出部３１ａよりも低い位置に設けられている。つまり、後側吐出部３２ａは、回転ドラム４内に溜まる水の水位よりも上側に配置されている。後側吐出部３２ａは、回転ドラム４の上下方向に延在する縦長形状とされている。
また、外槽３は、ダンパ５（図２参照）を介して弾性支持されている。
【００２４】
また、外槽本体３ａの後部外側部には、図４に示すように、外槽３内へ水や洗剤類を供給する給水口３ｃが設けられている。給水口３ｃと洗剤容器とは、ゴム製の図示しない蛇腹ホースで接続されている。
【００２５】
外槽３の下部内周面には、図２、図３に示すように、凹状の窪み部３ｆが設けられている窪み部３ｆは、外槽３の軸方向に延在するように設けられている。この窪み部３ｆの下面は、前側から後側に下がる傾斜面になっており、窪み部３ｆの後側には排水口３ｅ（図４参照）が設けられている。排水口３ｅには後記する循環ポンプ４０に繋がる蛇腹ホース（不図示）が接続されている。窪み部３ｆの前側には底部循環水の流入口３ｋ（図２参照）が設けられている。
【００２６】
窪み部３ｆを通じて外槽３の洗濯水が循環ポンプ４０に吸い込まれる。窪み部３ｆを設けることにより、外槽３における貯水量を増大している。したがって、循環ポンプ４０の回転速度を高めることで、大流量の洗濯水が循環ポンプ４０に吸い込まれ、循環流量が増大し、結果として衣類の洗浄効率が従来よりも一段と向上している。
【００２７】
排水ホース２６は、後記する循環ポンプ４０の出水ポート（不図示）にその一端が接続され、その他端側が、図４に示すように、ベース部１７の左後端に露出している。排水ホース２６には、筐体１０内での延在途中に排水弁２５（図４参照）が設けられている。
【００２８】
回転ドラム４は、回転可能に支持された円筒状の洗濯兼脱水槽である。回転ドラム４の外周壁には、通水および通風のための多数の貫通孔４ａが形成され、前側端面には、衣類等の洗濯物を出し入れするための開口部４ｂが形成されている。開口部４ｂの外周側には、回転ドラム４と一体に回転する流体バランサ（不図示）が設けられている。また、回転ドラム４の内周壁には、洗濯運転や乾燥運転に際して洗濯物を持ち上げるリフタ（不図示）が設けられている。なお、回転ドラム４の回転中心軸は、略水平または開口部４ｂ側が高くなるように傾斜している。
【００２９】
図７に示すように、回転ドラム４の底面部４ｄには、周方向に間隔を空けて複数のメッシュ部４ｍが設けられている。メッシュ部４ｍは、回転ドラム４と別体に構成された合成樹脂製であり、複数の細かい貫通穴（例えば、１円玉が挿通不能な大きさの略四角形状）を備え、底面部４ｄに取り付けられている。メッシュ部４ｍは、底面部４ｄの周方向にリブ４ｇで区画された底面領域４ｆに配置されている。メッシュ部４ｍは、軸方向から見た全体形状が、底面領域４ｆの形状に対応した略台形状に形成されている。メッシュ部４ｍは、図６に示すように、外槽本体３ａの底面部３ｄに設けられた後側吐出部３２ａに対向するように配置されている。メッシュ部４ｍを通じて、図７に示すように、後側吐出部３２ａの突出端３２ｂが臨んでいる。これにより、後側吐出部３２ａから散水された水がメッシュ部４ｍを通じて回転ドラム４内に散水されるようになっている。なお、後側吐出部３２ａは、図３，図６に示すように、先端部に設けられたフランジ部３２ｃを介して外槽３の底面部３ｄに固定されている。突出端３２ｂは、回転ドラム４の周方向に沿って湾曲している。なお、突出端３２ｂは、直線形状や屈曲形状、さらには、周方向に沿って逆側に湾曲する形状であってもよい。
【００３０】
なお、メッシュ部４ｍは、底面部４ｄに一体に設けられていてもよい。この場合には、底面部４ｄに対してプレス打ち抜き等により直接貫通孔を形成する。
【００３１】
外槽３とベース１７との間には、図３に示すように、循環ポンプ４０、フィルタケース４１、排水弁２５（図４参照）が設けられている。フィルタケース４１は、図３に示すように、前側に開口部を有する円筒状で、内部に着脱可能なフィルタ（図示省略）が装着されており、洗濯水中の異物や糸くずを捕集する。フィルタケース４１は、図１に示すように、前面下パネル１３に設けた蓋１３ｄを開け、取手４１ａを回すことでフィルタ（図示省略）を容易に着脱できるようになっている。このフィルタケース４１は、前側が高くなるように傾斜している。
【００３２】
次に、循環ポンプ４０を中心とする洗濯水の循環系について説明する。
図３に示すように、循環ポンプ４０は、フィルタケース４１と一体に形成されるケーシングに循環ポンプモータ４２が取り付けられた構成となっている。ケーシングには、３つの第１吐出ポート５１、第２吐出ポート５２（図４参照）、第３吐出ポート５３と、不図示の入水ポートおよび出水ポートが形成されている。
【００３３】
第１吐出ポート５１は、図３，図４に示すように、蛇腹ホース５１ａを介して外槽カバー３ｂの内側周壁に設けられた後記する第１循環流路３１（図５（ａ）（ｂ）参照）の入口ポート３１ｂに繋がっている。
【００３４】
なお、この蛇腹ホース５１ａおよび第１循環流路３１は、前記の外槽３の窪み部３ｆの排水口３ｅ（図４参照）に接続された蛇腹ホース（不図示）とともに、外槽３の下部から外槽３の前側上部へ至る循環流路を構成している。
【００３５】
第１循環流路３１は、外槽カバー３ｂの上方内側に設けられたノズルとなる前側吐出部３１ａ（図５（ａ）参照）に接続されている。
【００３６】
第２吐出ポート５２は、図４に示すように、第２循環流路３２を構成する蛇腹ホース５２ａに繋がっている。蛇腹ホース５２ａは、後方へ延在した後、上方へ立ち上がって外槽３の底面部３ｄの後方に配置されるホースである。蛇腹ホース５２ａの先端部には、外槽３の底面部３ｄの後面に接続される第２吐出部３２ａが設けられている。
【００３７】
なお、この蛇腹ホース５２ａからなる第２循環流路３２は、前記の外槽３の窪み部３ｆの排水口３ｅに接続された蛇腹ホース（不図示）とともに、外槽３の底部から外槽３の後側中間部へ至る循環流路を構成している。
【００３８】
第３吐出ポート５３は、図３に示すように、蛇腹ホース３３を介して外槽３の底部の窪み部３ｆ（図３参照）に臨むように形成された流入口３ｋに接続されている。
【００３９】
循環ポンプ４０に繋がる排水弁２５を閉じた状態で、循環ポンプ４０の循環ポンプモータ４２が正回転すると、外槽３内の洗濯水は排水口３ｅ（図４参照）から不図示の蛇腹ホースを通り、フィルタケース４１内のフィルタ（不図示）で異物が除去される。その後、洗濯水は、循環ポンプ４０に入り、第１吐出ポート５１から第１循環流路３１に送り込まれるとともに、第２吐出ポート５２から第２循環流路３２に送り込まれ、前側吐出部３１ａ（図５（ａ）（ｂ）参照）および後側吐出部３２ａから回転ドラム４（図２参照）内に散水される。
【００４０】
また、循環ポンプ４０の循環ポンプモータ４２が逆回転すると、外槽３内の洗濯水は排水口３ｅ（図４参照）から不図示の蛇腹ホースを通り、フィルタケース４１内のフィルタ（不図示）で異物が除去される。その後、洗濯水は、循環ポンプ４０に入り、第３吐出ポート５３から吐出され、蛇腹ホース３３、流入口３ｋを介して外槽３内に戻る。また、排水弁２５が開かれると、外槽３内の洗濯水は、フィルタケース４１内のフィルタ（不図示）を通り、排水ホース２６（図４参照）から機外へ排水される。
【００４１】
本実施形態のドラム洗濯機１は、前側散水運転モード（開口部側散水運転モード）および後側散水運転モード（底面部側散水運転モード）のいずれか一方の運転モードと、両側散水運転モードとの３つの運転モードを備えている。前側散水運転モードは、回転ドラム４の開口部側となる前側吐出部３１ａから水を吐出する運転モードである。後側散水運転モード（底面部側散水運転モード）は、回転ドラム４の底面部側となる後側吐出部３２ａから水を吐出する運転モードである。両側散水運転モードは、前側吐出部３１ａおよび後側吐出部３２ａの両方から水を吐出する運転モードである。
【００４２】
各運転モードの切り替えは、例えば、循環ポンプモータ４２の回転速度を変更することにより（吐き出し流量を変更することにより）行うことができる。
【００４３】
図８は循環ポンプの一形態を示す説明図であり、（ａ）は回転速度が低い場合の模式説明図、（ｂ）は回転速度が高い場合の模式説明図である。循環系における前側吐出部および後側吐出部の散水の様子を示す模式図である。
循環ポンプモータ４２の回転速度を変更した場合に、循環ポンプモータ４２の吐き出し性能である揚程が変わってくる。循環ポンプモータ４２の回転速度が低いと、吐き出し水面が高いところまで持ち上がらず、揚程は低い位置に留まる。一方、循環ポンプモータ４２の回転速度を高くすれば、吐き出し水面が高いところまで持ち上がる。
本実施形態では、後側吐出部３２ａが前側吐出部３１ａよりも低い位置に設けられている。したがって、図８（ａ）に示すように。後側吐出部３２ａから散水可能な吐き出し水面となるように循環ポンプモータ４２の回転速度を設定すれば、比較的低い回転速度で後側吐出部３２ａからのみ水を散水することができる。
これに対して、図８（ｂ）に示すように、前側吐出部３１ａから散水可能な吐き出し水面となるように循環ポンプモータ４２の回転速度を比較的高い回転速度に設定すれば、後側吐出部３２ａに加えて前側吐出部３１ａからも水を散水することができるようになる。つまり、循環ポンプモータ４２の回転速度を調節することによって、散水状態を変更することが可能である。
【００４４】
なお、これとは逆に、後側吐出部３２ａが前側吐出部３１ａよりも高い位置に設けられている構成とすることによって、比較的低い回転速度で前側吐出部３１ａからのみ水を散水する構成とすることができる。また、後側吐出部３２ａから散水可能な吐き出し水面となるように循環ポンプモータ４２の回転速度を比較的高い回転速度に設定すれば、前側吐出部３１ａに加えて前側吐出部３１ａからも水を散水することができるようになる。
【００４５】
なお、循環ポンプモータ４２の回転速度は、筐体１０内に備わる制御装置３８（図１０参照）で制御されることとなる。
【００４６】
また、循環ポンプ４０の構成を変更することで、前側散水運転モード（開口部側散水運転モード）と、後側散水運転モード（底面部側散水運転モード）と、両側散水運転モードと、の３つの運転モードを備えるドラム洗濯機１とすることができる。
【００４７】
図９（ａ）は循環ポンプの一形態を示す説明図、（ｂ）は羽を正回転させた場合の模式説明図、（ｃ）は羽を逆回転させた場合の模式説明図である。
循環ポンプ４０には、対向する第１吐出ポート５１および第２吐出ポート５２が備わる。また、循環ポンプ４０内には、流量を制御するストッパ４８，４９が備わる。ストッパ４８は、主として、図中Ｘ１方向に羽４５が回転したときに、第１吐出ポート５１に流れる流量を第２吐出ポート５２に流れる流量よりも多くなるように制御するものである。また、ストッパ４９は、主として、図中Ｘ２方向に羽４５が回転したときに、第２吐出ポート５２に流れる流量を第１吐出ポート５１に流れる流量よりも多くなるように制御するものである。
【００４８】
図９（ｂ）に示すように、循環ポンプモータ４２を図中矢印Ｘ１方向に回転させることで、第１吐出ポート５１への流量を増やすことができる。これによって、前側吐出部３１ａからのみ散水する前側散水運転モードとすることができる。
一方、図９（ｃ）に示すように、循環ポンプモータ４２を図中矢印Ｘ２方向に回転させることで、第２吐出ポート５２への流量を増やすことができる。これによって、前側吐出部３１ａからのみ散水する後側散水運転モードとすることができる。
【００４９】
また、循環ポンプモータ４２の回転方向を交互に切り替える運転を行うことによって、前側吐出部３１ａおよび後側吐出部３２ａの両方から散水する両側散水運転モードとすることができる。この場合、切り替えのタイミングを設定することにより、前後の散水が間欠的に行われる運転モードや、前後の散水が略連続して行われる運転モードで洗濯工程、すすぎ工程を行うことができる。
【００５０】
また、ストッパ４８，４９の形状やポンプ内への突出量を適宜設定することによって、一方向に羽４５を回転させる場合においても、循環ポンプ４０の回転速度に応じて、前側吐出部３１ａからのみ散水する状態としたり、前側吐出部３１ａと後側吐出部３２ａとの両方から同時に散水するように構成したりすることもできる。
【００５１】
図１０はドラム式洗濯乾燥機における制御ブロック図である。
図１０に示すように、制御装置３８は、マイクロコンピュータ３８ａ、駆動回路６４等を備えるとともに、図１に示す操作パネル２２のスイッチ１２ａ，１２ｂのオンオフ信号や各種センサ（水位センサ３４，温度センサ６２）からの出力信号の入力回路等も備える。また、制御装置３８は、マイクロコンピュータ３８ａを介して、使用者の操作や、洗濯工程（洗い工程、すすぎ工程、脱水工程）、乾燥工程での各種情報信号を取得する。また、制御装置３８は、マイクロコンピュータ３８ａが駆動回路６４を介して、フォラムモータ５ｊ、給水電磁弁１６、排水弁２５、循環ポンプ４０を制御する。また、使用者にドラム式洗濯乾燥機に関する情報を知らせるために、表示器１２ｃ、発光素子６６やブザー６７を制御する。
【００５２】
洗剤給水電磁弁１６ｂは、給水ホース接続口１８ｆ（図１参照）からの水道水を、図示しない給水経路を通って、洗剤トレイの洗剤投入室（図示せず）に給水する。洗剤投入室に給水された水道水は、投入された洗剤とともに、洗剤容器、蛇腹ホースを介して、外槽３（図２参照）内に注水される。
【００５３】
仕上剤給水電磁弁１６ｃは、給水ホース接続口１８ｆからの水道水を、図示しない給水経路を通って、洗剤トレイの仕上剤投入室（図示せず）に給水する。仕上剤投入室に注水された水道水は、投入された仕上剤（ソフナー）とともに、蛇腹ホースを介して、外槽３内に注水される。
【００５４】
外槽給水電磁弁１６ｄは、給水ホース接続口１８ｆからの水道水を、図示しない給水経路を通って、蛇腹ホースから外槽３内に給水する。
【００５５】
冷却水給水電磁弁１６ｅは、給水ホース接続口１８ｆからの水道水を、図示しない給水経路を通って、乾燥ダクトの水冷除湿機構（図示せず）に給水する。
【００５６】
なお、風呂水吸水ポンプで汲み上げられた風呂水ホース接続口１８ｇ（図１参照）からの風呂水は、図示しない給水経路を通って、蛇腹ホースから外槽３内に給水される。
【００５７】
≪運転工程≫
次に、図１１を参照して、ドラム式洗濯乾燥機の運転工程について説明する。図１１は、第１実施形態に係るドラム式洗濯乾燥機における洗濯運転（洗い〜すすぎ〜脱水）の運転工程を説明する工程図である。なお、以下では、洗剤給水電磁弁１６ｂを第１電磁弁、仕上剤給水電磁弁１６ｃを第２電磁弁、外槽給水電磁弁１６ｄを第３電磁弁、冷却水給水電磁弁１６ｅを第４電磁弁として説明する。
【００５８】
図１１に示すように、ステップＳ１において、制御装置３８は、ドラム式洗濯乾燥機の運転工程のコース選択の入力を受け付ける（コース選択）。ここで、使用者は、ドア６を開けて、回転ドラム４の内部に洗濯する衣類を投入し、ドア６を閉じる。そして、使用者は、操作スイッチ１２ａ，１２ｂを操作することにより、運転工程のコースを選択し入力する。操作スイッチ１２ａ，１２ｂが操作されることにより、選択された運転工程のコースが制御装置３８に入力される。制御装置３８は、入力された運転工程のコースに基づいて、運転パターンデータベースから対応する運転パターンを読み込み、ステップＳ２に進む。なお、以下の説明において、標準コース（洗い〜すすぎ２回〜脱水）が選択されたものとして説明する。
【００５９】
ステップＳ２において、制御装置３８は、回転ドラム４に投入された衣類の重量（布量）を検出する工程を実行する（布量センシング）。具体的には、制御装置３８は、フォラムモータ５ｊを正方向に所定の回転速度（例えば、１８０ｒｐｍ）で駆動して回転ドラム４を回転させるとともに、注水前の衣類の重量（布量）を算出する。
【００６０】
ステップＳ３において、制御装置３８は、洗剤量・運転時間を算出する工程を実行する。具体的には、制御装置３８は、給水電磁弁１６を制御して（例えば、第３電磁弁を開弁して）、外槽３の給水口３ｃに直接給水する。なお、図示していないが、制御装置３８は、外槽３の内底部に配置された電気伝導度センサ（不図示）を介して、給水された水の電導度（硬度）を検出する。また、温度センサ６２（図１０参照）で、給水された水の温度を検出する。その後、給水電磁弁１６を制御して（例えば、第３電磁弁を閉弁して）、外槽３への給水を終了する。
【００６１】
制御装置３８は、ステップＳ２で検出した布量、水の電導度（硬度）、水の温度に基づいて、マップ検索により、投入する洗剤量と運転時間を決定する。そして、制御装置３８は、決定された洗剤量・運転時間を表示器１２ｃに表示する。なお、外槽３に給水して水の電導度（硬度）および水温を検出するものとして説明したが、これに限られるものではない。例えば、前回運転時の水の電導度（硬度）および水温をマイクロコンピュータ３８ａの記憶部（図示せず）に記憶しておき、それを用いてもよい。
【００６２】
ステップＳ４において、制御装置３８は、洗剤投入待ち工程を実行する。例えば、制御装置３８は、所定時間待機して、ステップＳ５に進む。使用者は、待機中に表示器１２ｃに表示された洗剤量を参考に、洗剤トレイ内に洗剤類を入れる。なお、制御装置３８は、洗剤トレイの開閉を検知する手段（図示せず）により、洗剤トレイが開けられた後に閉じられた場合、洗剤類が投入されたものとして、ステップＳ５に進む構成であってもよい。
【００６３】
ステップＳ５において、制御装置３８は、洗剤溶かし工程を実行する。例えば、制御装置３８は、給水電磁弁１６を制御して（例えば、第１電磁弁を開弁して）、給水管を介して洗剤投入室に給水する。洗剤投入室の洗剤と水は、洗剤送出管、蛇腹ホース、外槽３の後側上部にある給水口３ｃ、外槽３の底壁内面に形成された給水経路を介して、その出口から外槽３の窪み部３ｆに流入する。所定水量まで給水すると、制御装置３８は、給水電磁弁１６を制御して（例えば、第１電磁弁を閉弁して）、給水を停止させる。そして、制御装置３８は、洗剤溶かし動作を実行する。
【００６４】
具体的に、制御装置３８は、循環ポンプ４０を制御して、排水口３ｅから蛇腹ホースを介して吸い込んだ水と洗剤を、蛇腹ホース３３を介して窪み部３ｆの流入口３ｋから吐出させる。流入口３ｋから吐出された水と洗剤は、窪み部３ｆを流れ、排水口３ｅへと向かい、循環するようになっている。これにより、水と洗剤が攪拌され、洗剤が水に溶かされるようになっている。所定時間（例えば、１０秒）が経過すると、制御装置３８は、循環ポンプ４０を停止させ、ステップＳ６に進む。
【００６５】
ステップＳ６において、制御装置３８は、回転給水工程を実行する。具体的には、制御装置３８は、給水電磁弁１６を制御して（例えば、第１電磁弁と第３電磁弁を開弁して）、外槽３内の洗い水の水位を上昇させるとともに、フォラムモータ５ｊを制御して回転ドラム４を所定の回転速度(例えば、４０ｒｐｍ［ｒ／ｍｉｎ］)で正逆方向に回転させ、衣類の入れ替えを行う。また、制御装置３８は、循環ポンプ４０（循環ポンプモータ４２）を所定の回転速度となるように制御して、排水口３ｅから吸い込んだ洗剤濃度の高い洗い水を外槽３の開口部に設けられた前側吐出部３１ａおよび後側吐出部３２ａから回転ドラム４の内部に吐出させることにより、回転ドラム４の内部の衣類に染み込ませる。
【００６６】
この場合、制御装置３８は、循環ポンプ４０の回転速度を低回転速度と高回転速度とに交互に制御する。循環ポンプ４０の回転速度が低回転速度（例えば、１８００ｒｐｍ）に制御されると、洗い水の水量は少なくなり、揚程が低くなって、例えば、後側吐出部３２ａからのみ回転ドラム４の内部に洗い水が吐出される。
【００６７】
一方、循環ポンプ４０の回転速度が高回転速度（例えば、２０００ｒｐｍ）に制御されると、洗い水の水量が多くなり、揚程が高くなって、前側吐出部３１ａおよび後側吐出部３２ａの両方から回転ドラム４の内部に洗い水が吐出される。
【００６８】
回転給水工程では、前記したように、制御装置３８によって循環ポンプ４０の回転速度が低回転速度と高回転速度とに交互に制御される。したがって、回転給水工程では、吐出される洗い水が後側吐出部３２ａからのみ吐出されたり、前側吐出部３１ａおよび後側吐出部３２ａの両方から吐出されたりする。つまり、洗い水が順次散水される。これにより、回転ドラム４の内部の衣類に洗い水を万遍なく浸透させることができる。なお、制御装置３８の制御は、循環ポンプ４０の回転速度を所定の間隔で低回転速度と高回転速度とに交互に制御するものでもよいし、どちらか一方の回転速度に保持される時間を他方に比べて長くなるように制御するものでもよい。
【００６９】
そして、外槽３内の洗い水の水位が、所定の水位（中水位）まで上昇すると、給水を停止させる（例えば、第１電磁弁と第３電磁弁を閉弁する）。回転給水工程を開始して所定時間が経過すると回転給水工程を終了し、ステップＳ７に進む。
【００７０】
ステップＳ７において、制御装置３８は、予洗い攪拌工程を実行する。なお、予洗い攪拌工程とは、洗剤溶かし工程で生成された洗剤濃度の高い洗い水を衣類に浸み込ませる工程である。洗剤濃度の高い洗い水を衣類に浸み込ませることにより、洗浄力が向上する。
【００７１】
具体的に、制御装置３８は、循環ポンプ４０の回転速度を低回転速度（例えば、１８００ｒｐｍ）と高回転速度（例えば、２０００ｒｐｍ）とに交互に制御して、排水口３ｅから吸い込んだ洗い水を外槽３の前側吐出部３１ａおよび後側吐出部３２ａから回転ドラム４の内部に吐出させる。この場合にも、循環ポンプ４０の回転速度が低回転速度と高回転速度とに交互に制御されるので、洗い水が前側からのみ（まはた後側からのみ）となったり、前後両側となって吐出されたりする。これにより、回転ドラム４の内部の衣類に洗剤濃度の高い洗い水を万遍なく浸透させることができる。
【００７２】
また、制御装置３８は、フォラムモータ５ｊを制御して回転ドラム４を所定の回転速度(例えば、８０ｒｐｍ)で回転させることにより、衣類に対する遠心力が重力より勝って、回転ドラム４の内部の衣類を回転ドラム４の内周壁面に張り付け、衣類が回転ドラム４内の上方から落下しないようにしている。つまり、予洗い攪拌工程では、衣類を回転ドラム４の上方から落下させないようにすることで、衣類に対して回転ドラム４の上方から落下したときに発生する機械的な力が加わらないようにしている。
【００７３】
本実施形態の予洗い攪拌工程では、回転ドラム４を正方向に回転させているが、逆方向または正逆両方向に回転させてもよい。所定の時間（例えば、３分間）が経過すると、制御装置３８は、予洗い攪拌工程を終了し、ステップＳ８に進む。
【００７４】
ステップＳ８において、制御装置３８は、本洗い攪拌工程を実行する。本洗い攪拌工程では、例えば、たたき洗い工程、もみ洗い工程を実行する。たたき洗い工程とは、回転ドラム４の回転により回転ドラム４内の下方に溜まった衣類を持ち上げて、衣類に対する遠心力よりも重力が勝ることで、衣類を回転ドラム４内の上方から落下させることにより、衣類に機械的な力を与える工程である。
【００７５】
具体的に、制御装置３８は、循環ポンプ４０の回転速度を低回転速度（例えば、１８００ｒｐｍ）と高回転速度（例えば、２０００ｒｐｍ）とに交互に制御して、排水口３ｅから吸い込んだ洗い水を外槽３の前側吐出部３１ａおよび後側吐出部３２ａから回転ドラム４の内部に吐出させる。この場合にも、循環ポンプ４０の回転速度が低回転速度と高回転速度とに交互に制御されるので、洗い水が前側からのみ（まはた後側からのみ）となったり、前後両側となって吐出されたりする。これにより、回転ドラム４の内部の衣類に洗剤濃度の高い洗い水を万遍なく浸透させることができる。
また、制御装置３８は、フォラムモータ５ｊを制御して回転ドラム４を所定の回転速度（例えば、４０ｒｐｍ）で正逆方向に回転させることにより、回転ドラム４の内部の衣類をたたき洗いする。所定の時間（例えば、５分間）が経過すると、制御装置３８は、たたき洗い工程を終了し、もみ洗い工程に進む。
【００７６】
もみ洗い工程とは、回転ドラム４の回転により回転ドラム４内の下方に溜まった衣類を回転ドラム４の内周壁面を転がりながら（衣類を落下させることなく）、衣類にたたき洗いよりも弱い機械的な力を与える工程である。換言すると、もみ洗い工程では、衣類が回転ドラム４内の下部においてころころと転がりながら動作するようになっている。
【００７７】
具体的に、制御装置３８は、循環ポンプ４０の回転速度を低回転速度（例えば、１８００ｒｐｍ）と高回転速度（例えば、２０００ｒｐｍ）とに交互に制御して、排水口３ｅから吸い込んだ洗い水を外槽３の前側吐出部３１ａおよび後側吐出部３２ａから回転ドラム４の内部に吐出させる。この場合にも、循環ポンプ４０の回転速度が低回転速度と高回転速度とに交互に制御されるので、洗い水が前側からのみ（まはた後側からのみ）となったり、前後両側となって吐出されたりする。これにより、回転ドラム４の内部の衣類に洗い水が万遍なく浸透する。また、制御装置３８は、フォラムモータ５ｊを制御して回転ドラム４を、たたき洗い工程時の回転速度よりも低い所定の回転速度（例えば、３０ｒｐｍ）で正逆方向に回転（例えば、回転ドラム４を２０〜６０°の回転角度で左右反転）させることにより、回転ドラム４の内部の衣類をもみ洗いする。また、制御装置３８は、所定の時間（例えば、１分間）が経過すると、もみ洗い工程を終了し、すすぎ１工程（ステップＳ９〜ステップＳ１２）に進む。
【００７８】
ステップＳ９において、制御装置３８は、排水工程を実行する。制御装置３８は、フォラムモータ５ｊおよび循環ポンプ４０を停止させ、排水弁２５を開弁して外槽３内の洗濯水を排水する。水位センサ３４は、排水中の外槽３内の洗濯水の水位を監視し続ける。水位センサ３４の検出値が所定の水位を下回ると、制御装置３８は、排水工程を終了し、ステップＳ１０に進む。
【００７９】
ステップＳ１０において、制御装置３８は、脱水１工程を実行する。制御装置３８は、排水弁２５の開弁を維持した状態において、回転ドラム４を逆方向へ高速で回転させて（例えば、１２５０ｒｐｍ)、衣類に含まれる洗濯水を脱水する。所定の時間が経過すると、制御装置３８は、脱水１工程を終了し、ステップ１１に進む。
【００８０】
ステップＳ１１において、制御装置３８は、回転シャワー工程を実行する。制御装置３８は、回転ドラム４を逆方向へ中速で回転させつつ（例えば、２６０ｒｐｍ）、排水弁２５を閉弁し、給水電磁弁１６を制御して（例えば、第３電磁弁を開弁して）、衣類に水を散水する。このときの給水電磁弁１６（第３電磁弁）の制御時間は、ステップＳ２で検出した布量に基づいて決定される。所定の時間が経過すると、給水を停止させる（例えば、第３電磁弁を閉弁する）。
【００８１】
また、制御装置３８は、循環ポンプ４０の回転速度を低回転速度（例えば、１８００ｒｐｍ）と高回転速度（例えば、２０００ｒｐｍ）とに交互に制御して、排水口３ｅから吸い込んだすすぎ水を外槽３の前側吐出部３１ａおよび後側吐出部３２ａから回転ドラム４の内部に吐出させる。この場合にも、循環ポンプ４０の回転速度が低回転速度と高回転速度とに交互に制御されるので、洗い水が前側からのみ（または後側からのみ）となったり、前後両側となって吐出されたりする。これにより、回転ドラム４の内部の衣類にすすぎ水が効率よく散水される。所定の時間が経過すると循環ポンプ４０を停止させ、排水弁２５を開弁して外槽３内のすすぎ水を排水する。
【００８２】
ステップＳ１２において、制御装置３８は、脱水２工程を実行する。制御装置３８は、排水弁２５の開弁を維持した状態において、回転ドラム４を逆方向へ高速で回転させて（例えば、１２５０ｒｐｍ）、衣類に含まれる洗濯水を脱水する。所定の時間が経過すると、制御装置３８は、脱水２工程を終了し、すすぎ２工程（ステップＳ１３〜ステップＳ１６）に進む。
【００８３】
ステップＳ１３において、制御装置３８は、給水工程を実行する。制御装置３８は、排水弁２５を閉弁し、給水電磁弁１６を制御して（例えば、第１電磁弁を開弁して）、外槽３内にすすぎ水を供給する。所定の水位まで上昇すると、給水を停止させ（例えば、第１電磁弁を閉弁して）、制御装置３８は、給水工程を終了し、ステップＳ１４に進む。
【００８４】
ステップＳ１４において、制御装置３８は、仕上げ剤（ソフナー）給水工程を実行する。制御装置３８は、給水電磁弁１６を制御して（例えば、第２電磁弁を開弁して）、外槽３内に柔軟仕上剤を含んだすすぎ水を供給し、ステップＳ１３で外槽３内に供給されたすすぎ水と柔軟仕上剤を含んだすすぎ水とを混ぜ合わせる。
【００８５】
ステップＳ１５において、制御装置３８は、回転給水・補給水工程を実行する。制御装置３８は、給水電磁弁１６を制御して（例えば、第１電磁弁と第３電磁弁を開弁して）、外槽３に給水する。所定の水位まで給水すると、給水を停止させる（例えば、第１電磁弁と第３電磁弁を閉弁する）。また、制御装置３８は、給水しつつフォラムモータ５ｊを制御して回転ドラム４を正逆方向に回転させる（例えば、４０ｒｐｍ）。
【００８６】
また、制御装置３８は、循環ポンプ４０の回転速度を低回転速度（例えば、１８００ｒｐｍ）と高回転速度（例えば、２０００ｒｐｍ）とに交互に制御して、排水口３ｅから吸い込んだすすぎ水を外槽３の前側吐出部３１ａおよび後側吐出部３２ａから回転ドラム４の内部に吐出させる。この場合、循環ポンプ４０の回転速度が低回転速度と高回転速度とに交互に制御されるので、柔軟仕上剤を含んだすすぎ水が前側からのみ（または後側からのみ）となったり、前後両側となって吐出されたりする。これにより、回転ドラム４の内部の衣類に柔軟仕上剤が万遍なく浸透する。
【００８７】
ステップＳ１６において、制御装置３８は、すすぎ攪拌工程を実行する。すすぎ攪拌工程とは、たたき洗いと同様に、回転ドラム４の回転により回転ドラム４内の下方に溜まった衣類を持ち上げて、衣類に対する遠心力よりも重力が勝ることで、衣類を回転ドラム４内の上方から落下させる工程である。
【００８８】
具体的には、制御装置３８は、フォラムモータ５ｊを制御して回転ドラム４を回転させる（例えば、４０ｒｐｍ）。そして、制御装置３８は、循環ポンプ４０の回転速度を低回転速度（例えば、１８００ｒｐｍ）と高回転速度（例えば、２０００ｒｐｍ）とに交互に制御して、排水口３ｅから吸い込んだすすぎ水を前側吐出部３１ａおよび後側吐出部３２ａから回転ドラム４の内部に吐出させて、衣類をすすぐ。この場合にも、循環ポンプ４０の回転速度が低回転速度と高回転速度とに交互に制御されるので、すすぎ水が前側からのみ（または後側からのみ）となったり、前後両側となって吐出されたりする。したがって、衣類のすすぎが促進される。そして、所定の時間が経過すると、制御装置３８は、すすぎ攪拌工程を終了し、脱水工程（ステップＳ１７，Ｓ１８）に進む。
【００８９】
ステップＳ１７において、制御装置３８は、排水工程を実行する。制御装置３８は、フォラムモータ５ｊおよび循環ポンプ４０を停止させ、排水弁２５を開弁して外槽３内のすすぎ水を排水する。水位センサ３４は、排水中の外槽３内の洗濯水の水位を監視し続ける。水位センサ３４の検出値が所定の水位を下回ると、制御装置３８は、排水工程を終了し、ステップＳ１８に進む。
【００９０】
ステップＳ１８において、制御装置３８は、脱水工程を実行する。具体的には、制御装置３８は、排水弁２５を開弁させるとともに、フォラムモータ５ｊを制御して回転ドラム４を高速で回転させ（例えば、１０００ｒｐｍ）、衣類を遠心脱水する。そして、所定の時間が経過すると、制御装置３８は、フォラムモータ５ｊを停止させ、排水弁２５を閉弁して、洗濯コース（洗い〜すすぎ〜脱水）を終了する。
【００９１】
以上のように、本実施形態に係るドラム洗濯機では、運転工程において、循環ポンプ４０の回転速度を低回転速度と高回転速度とに交互に制御して、排水口３ｅから吸い込んだ洗い水やすすぎ水を前側吐出部３１ａおよび後側吐出部３２ａから回転ドラム４の内部に吐出させる。これにより洗い水やすすぎ水を衣類に万遍なく含ませることができる。したがって、大型の循環ポンプを使用することなく、コストを抑えながら高い洗浄性能を確保することができる。
また、回転ドラム４の回転速度を所望の速度に設定し、タンブリング動作による洗浄およびすすぎが可能である。
【００９２】
ここで、高い洗浄性能を確保することができるのは、例えば、本洗い攪拌工程において、回転ドラム４の回転で持ち上げられた衣類全体に十分な洗い水が浸透した状態で、衣類が落下するため、衣類に含まれている洗い水が落下の衝撃で汚れとともに衣類から押し出されるからである（たたき洗い）。また、衣類全体に洗濯水が浸透するため、すすぎにおいても効率良く洗剤成分の希釈が行え、すすぎ性能も向上できる。
【００９３】
後側吐出部３２ａから吐出される水がメッシュ部４ｍを通じて回転ドラム４内に散水される。したがって、後側吐出部３２ａから吐出された洗い水やすすぎ水が回転ドラム４内に好適に供給される。
【００９４】
循環ポンプ４０は、循環流路３１，３２を通じて、前側吐出部３１ａおよび後側吐出部３２ａに同時に洗い水やすすぎ水を供給することが可能である。これにより洗い水やすすぎ水を衣類に万遍なく含ませることができる。したがって、大型の循環ポンプを使用することなく、コストを抑えながら高い洗浄性能を確保することができる。
【００９５】
循環ポンプ４０は、循環流路３１，３２を通じて、前側吐出部３１ａおよび後側吐出部３２ａに個別に洗い水やすすぎ水を供給することが可能である。これにより洗い水やすすぎ水を衣類に万遍なく含ませることができる。したがって、効率よくコストを抑えながら高い洗浄性能を確保することができる。
【００９６】
後側吐出部３２ａは、回転ドラム４の上下方向に延在する縦長形状とされている。これにより、回転ドラム４内の上下方向に効率よく洗い水やすすぎ水を散水することができる。これにより衣類に万遍なく洗い水やすすぎ水を含ませることができる。
なお、後側吐出部３２ａは、複数設けてもよい。例えば、後側吐出部３２ａは、回転ドラム４の上下方向や径方向、さらには周方向に複数配置してもよい。この場合には、より高い洗浄性能を確保することができる。
【００９７】
また、後側吐出部３２ａは、回転ドラム４内に溜まる水の水位よりも上側に配置されている。これにより、回転ドラム４内に溜まる水に浸らない位置の衣類に効率よく洗い水やすすぎ水を散布することができる。したがって、効率よく高い洗浄性能を確保することができる。
【００９８】
また、前側散水運転モードと、後側散水運転モードと、両側散水運転モードとの３つの運転モードを備えている。したがって、衣類の汚れや量に応じて、好適な洗濯モードを選択でき、効率のよい洗濯が可能である。
【００９９】
次に、本実施形態によるドラム洗濯機における洗濯性能について説明する。洗濯性能については、ＪＩＳ−Ｃ９６０６の規格により、５ｃｍ四方の木綿のテストピースに牛脂やタンパク質の汚れ等を付着させ、このテストピースをＹシャツに縫いつけた後、洗濯，すすぎを行い、洗濯前のテストピースの反射率と洗濯後のテストピースの反射率から次式（１）により洗浄率を求めた。
【０１００】
Ｄ  ＝（ＲＷ−Ｒ１／Ｒ０−Ｒ１）×１００（％）・・・・式１
【０１０１】
ここで、Ｄは洗浄率、Ｒ１は洗濯前の人工汚染布反射率、ＲＷは洗濯後の人工汚染布反射率、Ｒ０は原布の反射率である。人工汚染布および実験方法は、日本工業規格（電気洗濯機、ＪＩＳ  Ｃ  ９６０９−１９９３）で規定されている。
【０１０２】
比較例の洗濯機は、前側吐出部３１ａに相当する吐出口からのみ洗い水やすすぎ水が散水される洗濯機を用いた。
また、図１２（ｂ）に示すように、洗浄試験時の汚染布投入エリアを回転ドラム内の前後方向にＡ〜Ｅの５つのエリアに分け、各エリアごとに、図１２（ａ）に示すドラムの正面側から見た丸数字１〜５の場所に、汚染布を投入した。
なお、各エリアＡ〜Ｅの間には、ダミー布を配置した。
【０１０３】
図１３に、本実施形態のドラム洗濯機１（表中では本実施形態と表示）と比較例の洗濯機（表中では比較例と表示）における、各エリアＡ〜Ｅの平均の洗浄率、および各エリアＡ〜Ｅ全体の平均の洗浄率（Ａｖｅ．）を示す。図１４は、これをグラフ化したものである。
図１３に示すように、回転ドラムの中央のエリアであるＣエリアからこれよりも後方のＡエリアにかけて、全体的に洗浄率が向上した。
【０１０４】
図１５は、回転ドラム４内におけるシャワーの散水エリアを示す模式図であり、（ａ）は前側吐出部３１ａに対応する散水エリアＧ（比較例に相当）を示すものであり、（ｂ）は前側吐出部３１ａおよび後側吐出部３２ａに対応する散水エリアＧ，Ｈ（本実施形態に相当）を示すものである。なお、図中、符号Ｆで示した斜線のエリアは、ドラム内に溜まった洗い水またはすすぎ水であり、衣類が直接塗れるエリアである。
【０１０５】
図１５（ａ）（ｂ）から明らかであるように、前側吐出部３１ａおよび後側吐出部３２ａに対応する散水エリアＧ，Ｈによって、洗い水やすすぎ水の浸透しにくい回転ドラム４の前後方向の中央エリアに好適に洗い水やすすぎ水を散布することが可能となった。
【０１０６】
なお、本発明は前記した実施形態に限定されるものではなく、本発明の範囲を変更しない範囲において種々変更できる。例えば、本実施形態では、後側吐出部３２ａを縦長形状としたが、これに限定されるものではなく、散水して衣類に洗い水やすすぎ水を浸透させることのできる形状であれば、形状は限定されない。
【０１０７】
また、前側吐出部３１ａおよび後側吐出部３２ａの上下方向の位置や左右方向の位置は適宜設定可能である。
【０１０８】
また、前側吐出部３１ａから吐出される流量、および後側吐出部３２ａから吐出される流量は、適宜設定することができる。
【符号の説明】
【０１０９】
１      ドラム洗濯機
３      外槽
４      回転ドラム（内槽、ドラム）
４ｂ    開口部
４ｄ    底面部
４ｍ    メッシュ部
３１，３２    循環流路
３１ａ    前側吐出部（吐出部）
３２ｂ    後側吐出部（吐出部）
４０    循環ポンプ
【図１】
2019150399.tif 000003
【図２】
2019150399.tif 000004
【図３】
2019150399.tif 000005
【図４】
2019150399.tif 000006
【図５】
2019150399.tif 000007
【図６】
2019150399.tif 000008
【図７】
2019150399.tif 000009
【図８】
2019150399.tif 000010
【図９】
2019150399.tif 000011
【図１０】
2019150399.tif 000012
【図１１】
2019150399.tif 000013
【図１２】
2019150399.tif 000014
【図１３】
2019150399.tif 000015
【図１４】
2019150399.tif 000016
【図１５】
2019150399.tif 000017